(57)【特許請求の範囲】
【請求項１】
一端に表示板が軸着されたスプールと、このスプールを収納する上ケースと下ケースの接合部分に設けられる、写真フイルムを出入させるフイルム通路と、このフイルム通路上に、フイルム通路を開閉する開き位置と閉じ位置との間で回転自在に設けられた蓋部材と、この蓋部材が前記閉じ位置にあるときに、前記蓋部材に設けられたカムと係合するとともに前記スプールに固着されたギアに係合して前記スプールの回動を阻止するスプールロックと、前記スプールロック、及び表示板が回動可能に収納される独立した表示室とが設けられ、前記上ケースと前記下ケースとからなるパトローネ本体と、前記スプールに一端が係合した写真フイルムとからなる写真フイルムパトローネにおいて、
前記表示室を前記上ケースに設けた上部表示溝と、前記下ケースに設けた下部表示溝とで構成し、これら上部表示溝と下部表示溝の内、何れか一方に前記表示室に収納された前記スプールロックの傾斜を規制する規制リブを設けたことを特徴とする写真フイルムパトローネ。
【請求項２】
一端に表示板が軸着されたスプールと、このスプールを収納する上ケースと下ケースの接合部分に設けられる、写真フイルムを出入させるフイルム通路と、このフイルム通路上に、フイルム通路を開閉する開き位置と閉じ位置との間で回転自在に設けられた蓋部材と、この蓋部材が前記閉じ位置にあるときに、前記蓋部材に設けられたカムと係合するとともに前記スプールに固着されたギアに係合して前記スプールの回動を阻止するスプールロックと、前記スプールロック、及び表示板が回動可能に収納される独立した表示室とが設けられ、前記上ケースと前記下ケースとからなるパトローネ本体と、前記スプールに一端が係合した写真フイルムとからなる写真フイルムパトローネにおいて、
前記表示室を前記上ケースに設けた上部表示溝と、前記下ケースに設けた下部表示溝とで構成し、これら上部表示溝と下部表示溝の両方に、前記表示室に収納された前記スプールロックの傾斜を規制する規制リブを各々設けたことを特徴とする写真フイルムパトローネ。
【発明の詳細な説明】
【０００１】
【発明の属する技術分野】
本発明は、写真フイルムパトローネに関し、更に詳しくは、表示室に収納されるスプールロックの傾斜を規制する写真フイルムパトローネに関するものである。
【０００２】
【従来の技術】
現在、種々の写真フイルムが用いられているが、一般撮影用としては、パトローネ本体の内部にスプールを回動自在に設け、このスプールに帯状の写真フイルムの終端部を固定して巻きつけた写真フイルムパトローネが広く利用されている。
【０００３】
一方、最近では、米国特許第４８３４３０６号明細書や本出願人による特開平３−３７６４５号公報，特開平２−１２４５６４号公報等に記載されているように、パトローネ本体を樹脂成形品で組み立てるとともに、パトローネ本体内部と外部とを繋ぐフイルム通路に蓋部材を回動自在に設け、フイルム通路を開く開き位置に蓋部材を回転させた後にスプールの回転によって写真フイルムをパトローネ本体外に送り出す写真フイルムパトローネが公知である。
【０００４】
ところで、このような方式の写真フイルムパトローネのパトローネ本体には、写真フイルムを収納するフイルム収納室の横に、スプールに軸着された表示板が回動可能に収納される溝状の独立した表示室が設けられている。この表示板は、写真フイルムパトローネの使用状況によって、表示室の側面に設けられた複数の表示開口の内の１つを内側から覆い、外部からこの表示板が視認できる表示開口の位置により、撮影者はこの写真フイルムパトローネの使用状況を把握することができるようになっている。
【０００５】
また、前記表示室には、スプールロックも回動可能に収納される。このスプールロックは、フイルム通路の蓋部材に設けられたカムとスプールに固着されたギアとに各々係合しており、蓋部材が閉じ位置にあるときに誤ってスプールが回動しないようにスプールの回動を阻止するものである。
【０００６】
【発明が解決しようとする課題】
前述したように、表示室には表示板とスプールロックとが各々回動可能に収納されているが、この内、スプールロックは後から表示室に軸着されるため、取付けに若干の余裕が必要であり、取付け後も表示室内で多少、幅方向に傾くことがある。しかしながら、写真フイルムパトローネの外形寸法を小型にするために、表示室の幅は極力小さく抑えてられているので、これら表示板とスプールロックが相互に重なる位置でスプールロックが傾いた時に、表示板とスプールロックが当接し、写真フイルムパトローネの不具合の原因になることがあった。
【０００７】
また、表示室はパトローネ本体の上ケースに設けた上部表示溝と下ケースに設けた下部表示溝とから構成されているが、写真フイルムパトローネの組み立て工程で下ケースに上ケースを被せる際に、下部表示溝に軸着されているスプールロックが斜めに傾いていると、上部表示溝の縁部にスプールロックが当接し、スプールロックが変形してしまうことがあった。
【０００８】
本発明は、上記事情を考慮してなされたもので、スプールロックの傾斜を抑制することにより、スプールロックと表示板とが表示室内で当接しないようにするとともに、写真フイルムパトローネの組み立て時にスプールロックの変形を防止する写真フイルムパトローネを提供することを目的とする。
【０００９】
【課題を解決するための手段】
上記目的を達成するために、本発明の写真フイルムパトローネでは、スプールロック、及び表示板が回動可能に収納される表示室を、パトローネ本体の上ケースに設けた上部表示溝と下ケースに設けた下部表示溝とで構成し、これら上部表示溝と下部表示溝の内、何れか一方に前記表示室に収納されたスプールロックの傾斜を規制する規制リブを設けたものである。
【００１０】
また、請求項２においては、スプールロック、及び表示板が回動可能に収納される表示室を、パトローネ本体の上ケースに設けた上部表示溝と下ケースに設けた下部表示溝とで構成し、これら上部表示溝と下部表示溝の両方に、前記表示室に収納されたスプールロックの傾斜を規制する規制リブを設けたものである。
【００１１】
【発明の実施の形態】
本発明の写真フイルムパトローネの構成について説明する。図２に示すように、写真フイルムパトローネ２は、プラスチックで形成された上ケース３，下ケース４と、これら上下ケース３，４内に収納されるスプール５と、蓋部材６及びスプールロック７とからなるパトローネ本体８に、写真フイルム９が巻き込まれたものであり、さらに、パトローネ本体８の外面にはラベル１１が貼付される。
【００１２】
パトローネ本体８は、内部が情報室１２、フイルム収納室１３、及び表示室１４に仕切られている。また、パトローネ本体８を構成する上下ケース３，４の正面側の接合部には、写真フイルム９が出入りするフイルム通路１５が形成されている。このフイルム通路１５の奥には、フイルム通路１５を開閉する蓋部材６が回動自在に組み付けられている。また、下ケース４のフイルム通路１５の奥には、スプール５に巻かれた写真フイルム９の先端を掬い上げてフイルム通路１５に導く分離爪１６が形成されている。
【００１３】
スプール５は、写真フイルム９の後端が係止されて巻き付けられるスプール軸１７と、このスプール軸１７の一端に形成されたデータ板１８と、スプール軸１７の他端に取り付けられる回転部材１９と、これらデータ板１８と回転部材１９との間でスプール軸１３に取り付けられるフレキシブルディスク（以下ディスクと省略する）２１，２２とから構成されている。
【００１４】
パトローネ本体８の情報室１２には、データ板１８が回動自在に収納される。このデータ板１８には、写真フイルム９の各種データを示すバーコードが印刷されたバーコードラベル２３が貼着される。このバーコードは、この写真フイルムパトローネ２が装填されるカメラ等の装置によって読み取られる。
【００１５】
パトローネ本体８の表示室１４は、図１に示すように、上ケース３に形成された上部表示溝１４ａと、下ケース４に形成された下部表示溝１４ｂとからなっている。このような表示室１４には、回転部材１９、表示板２４、及びスプールロック７が回動自在に収納される。回転部材１９には、ユーザーに写真フイルム９の使用状況を示す表示板２４とスプール５をロックするためのギヤ２５とが設けられている。
【００１６】
表示板２４は着色された扇形の板であり、パトローネ本体８の側面に形成された複数個の表示窓２６ａ〜２６ｄのいずれかに対面する位置に配置され、表示板２４がどの表示窓から見えるかによって、未使用，使用途中，全露光済み，現像済みのいずれかを表示する。
【００１７】
図３に示すように、スプールロック７には、弾性変形するアーム７ａ，７ｂ、及び爪部７ｄが設けられており、また、下部には係合突起７ｃが一体に設けられている。そして、この係合突起７ｃが下部表示溝１４ｂに設けられている係合穴３１と係合することにより、スプールロック７は表示室１４内に軸着される。アーム７ａは、蓋部材６のカム６ａに当接しており、蓋部材６が閉じる位置にある時には、端部がカム６ａに押されて、爪部７ｄとギヤ２５とを係合する方向にスプールロック７を付勢する。
【００１８】
また蓋部材６が開く位置にある時には、カム６ａによるアーム７ａへの押圧が解除され、爪部７ｄとギヤ２５とを係合する方向への付勢も解除される。そして、写真フイルムパトローネ２が未使用状態である時には、蓋部材６が閉じる位置にあるので、爪部７ｄがギヤ２５に噛み合って、スプール５の写真フイルム送り出し方向への回転を阻止している。また、カメラ側の開閉用駆動軸によって蓋部材６が開く位置に回転操作されると、爪部７ｄとギヤ２５との係合が解除され、スプール５の写真フイルム送り出し方向への回転が自在となる。
【００１９】
一方、表示室１４の下部表示溝１４ｂには、スプールロック７の係合突起７ｃを係合穴３１に係合した後に、スプールロック７が下部表示溝１４ｂ内で傾くことを規制する規制リブ３３が設けられている。スプールロック７の係合突起７ｃと、下部表示溝１４ｂの係合穴３１とは、スプールロック７の取付けを容易にするために緩やかに係合するので、スプールロック７は下部表示溝１４ｂに取付け後に、幅方向に傾くことが可能な遊びが生ずる。規制リブ３３は、このスプールロック７の傾きを規制するものであり、図１（Ａ）に示すように、下部表示溝１４ｂの内面から突出してスプールロック７の下部に当接することにより、スプールロック７の傾きを規制する。
【００２０】
また、表示室１４の上部表示溝１４ａには、スプールロック７の係合突起７ｃを係合穴３１に係合し、上ケース３と下ケース４とを係合した後に、スプールロック７が表示室１４内で傾くことを規制する規制リブ３２が一体に設けられている。規制リブ３２は、スプールロック７が表示室１４内で傾き、同じく表示室１４内に収納されている表示板２４と当接して干渉することを防止するものであり、上ケース３と下ケース４との係合後に、図１（Ｂ）に示すように、スプールロック７の上部に当接することによりスプールロック７の傾きを規制し、表示板２４と当接しないようにする。
【００２１】
パトローネ本体８のフイルム収納室１３には、スプール軸１７に軸着されるディスク２１，２２が収納される。ディスク２１及び２２は２段のカップ形状となっており、中央部分にはスプール軸１７が挿入される開口２１ａ，２２ａが形成されている。また、ディスク２１，２２の外周には、スプール軸１７に巻かれた写真フイルム９の最外周の端部を包み込んで、写真フイルムパトローネ２内での巻き緩みを防止する突起状のリップ２１ｂ，２２ｂが形成されている。
【００２２】
これらのディスク２１，２２は、写真フイルム９を送り出す際に容易に変形できるように柔軟なプラスチックで薄肉に成形されている。そして、これらスプール軸１７、ディスク２１，２２、及びスプール軸１７に巻かれた写真フイルム９が、パトローネ本体８のフイルム収納室１３に収納される。
【００２３】
このような写真フイルムパトローネ２は、未使用あるいは使用済み時には、写真フイルム９が先端まで全てパトローネ２内に巻き込まれており、蓋部材６はフイルム通路１５を塞ぐ閉じ位置に回動されている。この状態では、外光はフイルム通路１５から写真フイルムパトローネ２内に入り込むことはなく、また、スプール５はスプールロック７によってロックされているので、不用意にスプール５が回転することはない。そして、蓋部材６がフイルム通路１５を開放し、スプール５が回転されると、写真フイルム９の先端は分離爪１６によって掬い上げられてフイルム通路１５から送り出される。
【００２４】
【実施例】
以上のような構成の写真フイルムパトローネの作用について説明する。本発明の写真フイルムパトローネ２の製造工程では、先ず、パトローネ本体８内を遮光する蓋部材６がフイルム通路１５の溝１５ａに載置される。次に、下ケース４の表示室１４にスプールロック７を挿入し、係合突起７ｃを係合穴３１に係合させることで、スプールロック７を下ケース４に軸着する。次に、バーコードラベル２３が貼着されたデータ板１８、回転部材１９、及びディスク２１，２２が予めスプール軸１７に軸着されているスプール５が、下ケース４の溝４ａに載置される。そして、これらスプールロック７と蓋部材６が載置されスプール５が軸着された下ケース４の上部に、上ケース３が被せられる。
【００２５】
この時、下部表示溝１４ｂに設けられている規制リブ３３がスプールロック７の下部に当接し、スプールロック７が傾くことを規制しており、図１（Ａ）に示すスプールロック７の振れ幅Ａが、上部表示溝１４ａの開口幅Ｂよりも小さくなるので、下ケース４に上ケース３を被せる際にスプールロック７が上部表示溝１４ａの開口縁部に当接し、スプールロック７が折れ曲がったり破損したりすることがない。
【００２６】
下ケース４の上部に上ケース３を被せると、スプールロック７の上方が上部表示溝１４ａに設けられている規制リブ３２に当接するが、規制リブ３２の下部に斜面３３ａが形成されているので、下ケース４に上ケース３を被せる際にスプールロック７の上方が規制リブ３２に引っ掛かって係合不良になることがない。そして、下ケース４の上部に上ケース３が完全に被せられると、スプールロック７の上方が規制リブ３２に当接し、スプールロック７の傾きがさらに規制される。
【００２７】
このように、下ケース４に上ケース３が被せられると、フイルム通路１５に蓋部材６が、またパトローネ本体８内にスプール５が各々軸着される。そして、最後にパトローネ本体８の外面にラベル１１が貼付され、写真フイルムパトローネ２の組み立てが完了する。
【００２８】
そして、図１（Ｂ）に示すように、規制リブ３２により、下ケース４と上ケース３との係合後のスプールロック７の振れ幅Ｃが、下ケース４と上ケース３との係合前のスプールロック７の振れ幅Ａよりも小さくなるので、写真フイルムパトローネ２の状態により、表示板２４とスプールロック７とが表示室１４内で重なる際にも、スプールロック７が傾いて表示板２４と当接し、動作不良になることがない。
【００２９】
なお、前述した下ケース４と上ケース３との係合前、係合後のスプールロック７の振れ幅Ａ、振れ幅Ｃ、及び、上部表示溝１４ａの開口幅Ｂにおける好ましい数値を表１に掲げる。
【００３０】
【表１】
0003606409.tif 000002
【００３１】
また、図１（Ａ）中の符号Ｄで示す規制リブ３２の高さとしては、０．５〜２ｍｍが好ましく、更に好ましくは、０．８〜１．５ｍｍがよい。また、図１（Ａ）中の符号Ｅで示す表示板２４の厚みとしては、０．４〜１ｍｍが好ましく、更に好ましくは、０．５５〜０．６５ｍｍがよい。
【００３２】
また、このような規制リブ３２、３３による、組み立て時のスプールロック７の変形防止効果、及びスプールロック７の表示板２４との接触防止効果を、表２に纏めて掲げる。
【００３３】
【表２】
0003606409.tif 000003
【００３４】
なお、上述した実施例では、上部表示溝と下部表示溝の両方に規制リブを設けているが、上部表示溝か下部表示溝のどちらか一方に規制リブを設けてもよい。
【００３５】
【発明の効果】
以上、詳細に説明したように、本発明の写真フイルムパトローネによれば、スプールロック、及び表示板が回動可能に収納される表示室を、パトローネ本体の上ケースに設けた上部表示溝と下ケースに設けた下部表示溝とで構成し、これら上部表示溝と下部表示溝の内、何れか一方、または両方に、前記表示室に収納されたスプールロックの傾斜を規制する規制リブを設けたので、スプールロックの傾斜を抑制することにより、スプールロックと表示板とが表示室内で当接しないようにするとともに、写真フイルムパトローネの組み立て時にスプールロックの変形を防止する写真フイルムパトローネを提供することが可能になった。
【図面の簡単な説明】
【図１】本発明の写真フイルムパトローネの表示室部分を示す断面図である。
【図２】本発明の写真フイルムパトローネを示す分解斜視図である。
【図３】本発明の写真フイルムパトローネの側面の断面図である。
【符号の説明】
２  写真フイルムパトローネ
３  上ケース
４  下ケース
５  スプール
７  スプールロック
７ｃ  係合突起
８  パトローネ本体
９  写真フイルム
１４ａ  上部表示溝
１４ｂ  下部表示溝
１９  回転部材
２４  表示板
３１  係合穴
３２、３３  規制リブ
【図１】
0003606409.tif 000004
【図２】
0003606409.tif 000005
【図３】
0003606409.tif 000006